(57)【要約】
【課題】伸縮式支柱の位霞決め状態を安定させた段ばしごの伸縮式支柱位置決め構造を提供する。
【解決手段】コ宇形の外部ロッド１０と、該外部ロッド１０の内部に挿し込まれる角棒状の内部ロッド２０とを有し、内部ロッド２０の上端に外部ロッド１０からの脱落を防止する封止ブロック２００が設けられ、外部ロッド１０の所定の位置に固定部材１１によって踏み板１２が設けられ、該踏み板１２に係止歯部１３０及び弾性部材１３１からなる位置決め部材１３が設けられる段ばしごの伸縮式支柱位置決め構造であって、外部ロッド１０の開口側へ向かう内部ロッド２０の一側に固定ブロック２０１によって平行配列に複数の位置決め孔２１０を有する位置決めプレート２１が設けられると共に、該位置決め孔２１０の深度が位置決めプレート２１の厚さと等しい構成とした。
【選択図】図１
0003100843.tif 000002
【実用新案登録請求の範囲】
【請求項１】
コ字形の外部ロッド１０と、該外部ロッド１０の内部に挿し込まれる角棒状の内部ロッド２０とを有し、内部ロッド２０の上端に外部ロッド１０からの脱落を防止する封止ブロック２００が設けられ、外部ロッド１０の所定の位置に固定部材１１によって踏み板１２が設けられ、該踏み板１２に係止歯部１３０及び弾性部材１３１からなる位置決め部材１３が設けられた段ばしごの伸縮式支柱位置決め構造であって、
外部ロッド１０の開口側へ向かう内部ロッド２０の一側に固定ブロック２０１によって平行配列に複数の位置決め孔２１０を有する位置決めプレート２１が設けられると共に、該位置決め孔２１０の深度が位置決めプレート２１の厚さと等しいことを特徴とする段ばしごの伸縮式支柱位置決め構造。
【請求項２】
前記位置決めプレート２１の上端に嵌合プレート２１１が設けられると共に、内部ロッド２０に嵌合プレート２１１と嵌合するための嵌合孔２０２が形成されることを特徴とする請求項１に記載の段ばしごの伸縮式支柱位置決め構造。
【考案の詳細な説明】
【技術分野】
【０００１】
本考案は、特に伸縮式支柱の位置決め状態を安定させた段ばしごの伸縮式支柱位置決め構造に関するものである。
【背景技術】
【０００２】
高い所に手の届かない人は段ばしごを使用して、高所の載置物を取るようにしており、非常に利便性がある。
【０００３】
図４に示すように、従来の段ばしご８０は、使用後の収納の利便性を高めるために、段ばしご８０の支柱８１は上下方向の伸縮が可能な構造となっている。
【考案の開示】
【考案が解決しようとする課題】
【０００４】
しかしながら、前記従来の段ばしごの伸縮式支柱位置決め構造は、高さ調節時の支柱の高さ方向の伸縮位置を自由に位置決めすることができないため、非常に不便である。
【０００５】
そこで、案出されたのが本考案であって、伸縮式支柱の位置決め状態を安定させる段ばしごの伸縮式支柱位置決め構造を提供することを目的としている。
【課題を解決するための手段】
【０００６】
本願の請求項１の考案は、コ字形の外部ロッド１０と、該外部ロッド１０の内部に挿し込まれる角棒状の内部ロッド２０とを有し、内部ロッド２０の上端に外部ロッド１０からの脱落を防止する封止ブロック２００が設けられ、外部ロッド１０の所定の位置に固定部材１１によって踏み板１２が設けられ、該踏み板１２に係止歯部１３０及び弾性部材１３１からなる位置決め部材１３が設けられた段ばしごの伸縮式支柱位置決め構造であって、外部ロッド１０の開口側へ向かう内部ロッド２０の一側に固定ブロック２０１によって平行配列に複数の位置決め孔２１０を有する位置決めプレート２１が設けられると共に、該位置決め孔２１０の深度が位置決めプレート２１の厚さと等しいことを特徴とする段ばしごの伸縮式支柱位置決め構造及び、
本願の請求項２の考案は、前記位置決めプレート２１の上端に嵌合プレー
ト２１１が設けられると共に、内部ロッド２０に嵌合プレート２１１と嵌合
するための嵌合孔２０２が形成されることを特徴とする請求項１に記載の段
ばしごの伸縮式支柱位置決め構造を特徴とする。
【考案の効果】
【０００７】
本考案は上記の課題を解決するものであり、位置決めプレートに位置決めプレートの厚さと等しい深度を有する位置決め孔が形成され、位置決め部材の係止歯部を該位置決め孔に挿入することにより、係止歯部と位置決めプレートのずれを防止すると共に、各踏み板の上下間の幅調整が容易でかつ支柱の高さ方向の伸縮位置を自由に位置決めすることができるので、使用上非常に安全である。
【考案を実施するための最良の形態】
【０００８】
以下、添付図面を参照して本考案の好適な実施の形態を詳細に説明する。
【０００９】
尚、下記実施例は、本考案の好適な実施の形態を示したものにすぎず、本考案の技術的範囲は、下記実施例そのものに何ら限定されるものではない。
【実施例】
【００１０】
図１は本考案に係る段ばしごの伸縮式支柱位置決め構造の分解斜視図であり、図２は本考案に係る段ばしごの伸縮式支柱位置決め構造の係合状態を示す断面図であり、図３は本考案に係る段ばしごの伸縮式支柱位置決め構造の係合解除状態を示す断面図である。
【００１１】
図１に示すように、本考案に係る段ばしごの伸縮式支柱位置決め構造はコ字形の外部ロッド１０と、該外部ロッド１０の内部に挿し込まれる菊棒状の内部ロッド２０とを有し、内部ロッド２０の上端に外部ロッド１０からの脱落を防止する封止ブロック２００が設けられ、外部ロッド１０の所定の位置に固定部材１１によって踏み板１２が設けられ、外部ロッド１０の開口側へ向かう内部ロツド２０の一側に固定ブロックク２０１によって平行配列に複数の位置決め孔２１０を有する位置決めプレート２１が設けられると共に、外部ロッド１０と連接する踏み板１２に係止歯部１３０及び弾性部材１３１からなる位置決め部材１３が設けられることにより、内部ロッド２０を外部ロッド１０の下方から引き出した際、内部ロッド２０と踏み板１２の相対位置を位置決めすることができる。
【００１２】
図２に示すように、本考案に係る段ばしごの伸縮式支柱位置決め構造の位置決め孔２１０の深度は位置決めプレート２１の厚さと等しく、係合状態において、位置決め部材１３の係止歯部１３０が位置決めプレート２１の厚さと等しい深度を有する位置決め孔２１０に挿入することにより、係止歯部１３０と位置決めプレート２１のずれを防止することができるので、使用上非常に安全である。
【００１３】
図３に示すように、本考案に係る段ばしごの伸縮式支柱位置決め構造を係合解除状態とするには、位置決め部材１３の舌片１３２を弾性部材１３１に抗して押圧することで、位置決め部材１３の係止歯部１３０を位置決めプレート２１の位置決め孔２１０から脱出させると共に、位置決め部材１３と内部ロッド２０の係合状態を解除させ、内部ロッド２０が外部ロッド１０に対し摺動可能となり再び伸縮することができる。
【００１４】
又、前記位置決め孔２１０を有する位置決めプレート２１と内部ロッド２０の固定状態を安定させるため、位置決めプレート２１の上端に嵌合プレート２１１が設けられると共に、内部ロッド２０に嵌合プレート２１１と嵌合する嵌合孔２０２が形成されることにより、位置決めプレート２１と内部ロッド２０の結合状態を安定させるので、段ばしごが衝撃を受けても、位置決めプレート２１と内部ロッド２０のずれを防止することができる。
【産業上の利用可能性】
【００１５】
本考案は上記の構成を有するので、位置決めプレートに位置決めプレートの厚さと等しい深度を有する位置決め孔が形成され、位置決め部材の係止歯部が該位置決め孔に挿入することにより、係止歯部と位置決めプレートのずれを防止すると共に、支柱の伸縮位置を自由に確実に位置決めることができるので、使用上非常に安全である。
【図面の簡単な説明】
【００１６】
【図１】本考案に係る段ばしごの伸縮式支柱位置決め構造の分解斜視図である。
【図２】本考案に係る段ばしごの伸縮式支柱位置決め構造の係合状態を示す断面図である。
【図３】本考案に係る段ばしごの伸縮式支柱位置決め構造の係合解除状態を示す断面図である。
【図４】従来の伸縮式支柱を有する段ばしごにおける支柱の伸縮状態を示す正面図である。
【符号の説明】
【００１７】
１０    外部ロッド
１１    固定部材
１２    踏み板
１３    位置決め部材
１３０  係止歯部
１３１  弾性部材
２０    内部ロッド
２００  封止ブロック
２０１  固定ブロック
２０２  嵌合孔
２１    位置決めプレート
２１０  位置決め孔
２１１  嵌合プレート
８０    段ばしご
８１    支柱
【図１】
0003100843.tif 000003
【図２】
0003100843.tif 000004
【図３】
0003100843.tif 000005
【図４】
0003100843.tif 000006